(57)【要約】【課題】配線ダクトへの取り付けが容易であり、かつ、ダクト本体からのダクトカバーの外れを防止できる配線ダクト用の固定補助具を提供すること。【解決手段】固定補助具１は、配線を収容して案内する配線ダクト２に用いられる。固定補助具１は、ダクト本体３の側面部３２の外側に配置される外側片部１１と、外側片部１１から側面部３２の貫通孔３２３を介して側面部３２の内側に配置される内側片部１２とを備えている。内側片部１２には、ダクト本体３の第２被係止部３２５に係止する第２係止部１２２が設けられている。固定補助具１の内側片部１２の第２係止部１２２をダクト本体３の第２被係止部３２５に係止することにより、固定補助具１の外側片部１１と内側片部１２とによってダクトカバー４の第１係止部４２１とダクト本体３の第１被係止部３２４との係止部分５１を挟持する。【選択図】図３
2016158416.tif 000002
【特許請求の範囲】
【請求項１】
配線を収容して案内する配線ダクトに用いられる固定補助具であって、
前記配線ダクトは、ダクト本体と、該ダクト本体の開口部を閉塞するように着脱可能に取り付けられたダクトカバーとを備え、
前記ダクト本体は、底面部と、該底面部の幅方向両端から立設された一対の側面部とを有し、かつ、前記底面部と対向する位置に長手方向に沿って前記開口部が形成され、
前記各側面部には、長手方向に並んで配置された複数の貫通孔が設けられ、
前記各側面部の外面には、前記ダクトカバーを係止する第１被係止部が設けられ、
前記各側面部の内面には、前記固定補助具を係止する第２被係止部が設けられ、
前記第１被係止部及び前記第２被係止部は、前記各側面部における前記貫通孔よりも前記開口部側に配置され、
前記ダクトカバーには、前記ダクト本体の前記各第１被係止部に係止する一対の第１係止部が設けられ、
前記固定補助具は、前記ダクト本体の前記側面部の外側に配置される外側片部と、該外側片部から前記側面部の前記貫通孔を介して前記側面部の内側に配置される内側片部とを備え、
該内側片部には、前記ダクト本体の前記第２被係止部に係止する第２係止部が設けられ、
前記固定補助具の前記内側片部の前記第２係止部を前記ダクト本体の前記第２被係止部に係止することにより、前記固定補助具の前記外側片部と前記内側片部とによって前記ダクトカバーの前記第１係止部と前記ダクト本体の前記第１被係止部との係止部分を挟持することを特徴とする配線ダクト用の固定補助具。
【請求項２】
前記外側片部の幅は、前記ダクト本体の前記側面部の前記貫通孔の幅よりも大きいことを特徴とする請求項１に記載の配線ダクト用の固定補助具。
【請求項３】
前記内側片部の前記第２係止部は、前記ダクト本体の前記第２被係止部に対して前記側面部の内側から外側に向かって係止することを特徴とする請求項１又は２に記載の配線ダクト用の固定補助具。
【請求項４】
前記固定補助具は、前記外側片部と、複数の前記内側片部とを備えていることを特徴とする請求項１〜３のいずれか１項に記載の配線ダクト用の固定補助具。
【請求項５】
前記ダクトカバーの前記第１係止部は、前記ダクト本体の前記第１被係止部に対して前記側面部の外側から内側に向かって係止することを特徴とする請求項１〜４のいずれか１項に記載の配線ダクト用の固定補助具。
【発明の詳細な説明】
【技術分野】
【０００１】
本発明は、配線ダクト用の固定補助具に関する。
【背景技術】
【０００２】
従来、配電盤、分電盤、工作機械等に電線等の配線を敷設する際に用いられる配線ダクトが知られている。配線ダクトは、配線を収容して案内するダクト本体と、ダクト本体に着脱可能に取り付けられたダクトカバーとを有する。
【０００３】
配線ダクトでは、設置する向きや外部からの振動等により、ダクト本体からダクトカバーが外れたりするおそれがある。そこで、特許文献１には、ダクト本体にダクトカバーを固定するための金具（蓋止め金具）が開示されている。
【先行技術文献】
【特許文献】
【０００４】
【特許文献１】特開２００８−１８２８４４号公報
【発明の概要】
【発明が解決しようとする課題】
【０００５】
しかしながら、前記特許文献１の金具は、ボルト及びナットを用いてダクト本体に取り付けるものである。そのため、ダクト本体や金具にボルト穴を設ける必要があり、構造が複雑となる。また、ボルト及びナットを用いるため、部品点数が多くなり、金具の取り付け作業も煩雑となる。
【０００６】
本発明は、かかる背景に鑑みてなされたものであり、配線ダクトへの取り付けが容易であり、かつ、ダクト本体からのダクトカバーの外れを防止できる配線ダクト用の固定補助具を提供しようとするものである。
【課題を解決するための手段】
【０００７】
本発明の配線ダクト用の固定補助具は、配線を収容して案内する配線ダクトに用いられる固定補助具であって、前記配線ダクトは、ダクト本体と、該ダクト本体の開口部を閉塞するように着脱可能に取り付けられたダクトカバーとを備え、前記ダクト本体は、底面部と、該底面部の幅方向両端から立設された一対の側面部とを有し、かつ、前記底面部と対向する位置に長手方向に沿って前記開口部が形成され、前記各側面部には、長手方向に並んで配置された複数の貫通孔が設けられ、前記各側面部の外面には、前記ダクトカバーを係止する第１被係止部が設けられ、前記各側面部の内面には、前記固定補助具を係止する第２被係止部が設けられ、前記第１被係止部及び前記第２被係止部は、前記各側面部における前記貫通孔よりも前記開口部側に配置され、前記ダクトカバーには、前記ダクト本体の前記各第１被係止部に係止する一対の第１係止部が設けられ、前記固定補助具は、前記ダクト本体の前記側面部の外側に配置される外側片部と、該外側片部から前記側面部の前記貫通孔を介して前記側面部の内側に配置される内側片部とを備え、該内側片部には、前記ダクト本体の前記第２被係止部に係止する第２係止部が設けられ、前記固定補助具の前記内側片部の前記第２係止部を前記ダクト本体の前記第２被係止部に係止することにより、前記固定補助具の前記外側片部と前記内側片部とによって前記ダクトカバーの前記第１係止部と前記ダクト本体の前記第１被係止部との係止部分を挟持する。
【０００８】
前記配線ダクト用の固定補助具は、前記構成の外側片部及び内側片部を備えている。そのため、外側片部をダクト本体の側面部の外側に配置した状態で、内側片部をダクト本体の側面部の貫通孔から内側に通し、その内側片部の第２係止部をダクト本体の第２被係止部に係止することで、固定補助具を配線ダクトに取り付けることができる。これにより、配線ダクトへの固定補助具の取り付け作業が容易となる。また、固定補助具を配線ダクトに対して十分に固定できる。また、固定補助具自体の構造が簡易であり、さらに固定補助具のみで配線ダクトへの取り付けが可能である。
【０００９】
また、固定補助具は、配線ダクトに取り付けた状態で、外側片部と内側片部とによってダクトカバーの第１係止部とダクト本体の第１被係止部との係止部分を挟持する。そのため、固定補助具によって、ダクト本体に対するダクトカバーの固定状態を十分に強化（補助）できる。これにより、配線ダクトの設置向きや外部からの振動等に起因するダクト本体からのダクトカバーの外れを確実に防止できる。
【００１０】
このように、本発明によれば、配線ダクトへの取り付けが容易であり、かつ、ダクト本体からのダクトカバーの外れを防止できる配線ダクト用の固定補助具を提供することができる。
【００１１】
前記配線ダクト用の固定補助具において、前記外側片部の幅は、前記ダクト本体の前記側面部の前記貫通孔の幅よりも大きくてもよい。この場合には、外側片部をダクト本体の側面部の外側に配置し、内側片部をダクト本体の側面部の貫通孔から内側に通した状態で、外側片部をダクト本体の側面部に沿って移動させることが可能となる。これにより、配線ダクトへの固定補助具の取り付け作業がさらに容易となる。
【００１２】
また、前記内側片部の前記第２係止部は、前記ダクト本体の前記第２被係止部に対して前記側面部の内側から外側に向かって係止する構成であってもよい。この場合には、配線ダクトに固定補助具を取り付けた状態で、ダクト本体に対するダクトカバーの着脱が容易となる。これにより、例えば、配線ダクト設置後に、ダクト本体からダクトカバーを取り外し、ダクト本体内に収容した配線の調整等を容易に行うことができる。
【００１３】
また、前記固定補助具は、前記外側片部と、複数の前記内側片部とを備えていてもよい。この場合には、固定補助具における複数の内側片部の各第２係止部をダクト本体の第２被係止部に係止することにより、固定補助具を配線ダクトに対して十分かつ確実に固定できる。
【００１４】
また、前記ダクトカバーの前記第１係止部は、前記ダクト本体の前記第１被係止部に対して前記側面部の外側から内側に向かって係止する構成であってもよい。この場合には、固定補助具の外側片部と内側片部とによってダクトカバーとダクト本体との係止部分を挟持することにより、ダクト本体に対するダクトカバーの固定状態をより一層強化（補助）できる。
【図面の簡単な説明】
【００１５】
【図１】固定補助具を取り付けた状態の配線ダクトを示す斜視図である。
【図２】固定補助具を取り付けた状態の配線ダクトを示す側面図である。
【図３】図２のIII-III線矢視断面図である。
【図４】（Ａ）は固定補助具を示す正面図であり、（Ｂ）は固定補助具を示す背面図であり、（Ｃ）は固定補助具を示す側面図である。
【図５】（Ａ）及び（Ｂ）は配線ダクトに固定補助具を取り付ける工程を示す説明図である。
【図６】（Ａ）及び（Ｂ）は固定補助具の第２係止部をダクト本体の第２被係止部に係止させる工程を示す説明図である。
【図７】（Ａ）及び（Ｂ）は配線ダクトに固定補助具を取り付けた状態でダクト本体からダクトカバーを取り外す工程を示す説明図である。
【図８】（Ａ）及び（Ｂ）はダクト本体に固定補助具が取り付けられた状態でダクト本体にダクトカバーを取り付ける工程を示す説明図である。
【図９】（Ａ）は固定補助具を示す正面図であり、（Ｂ）は固定補助具を示す背面図であり、（Ｃ）は固定補助具を示す側面図である。
【発明を実施するための形態】
【００１６】
以下、本発明の実施形態を図面と共に説明する。
（実施形態１）
図１〜図４に示すように、本実施形態の配線ダクト用の固定補助具１は、配線を収容して案内する配線ダクト２に用いられる。
【００１７】
配線ダクト２は、ダクト本体３と、ダクト本体３の開口部３０を閉塞するように着脱可能に取り付けられたダクトカバー４とを備えている。ダクト本体３は、底面部３１と、底面部３１の幅方向両端から立設された一対の側面部３２とを有し、かつ、底面部３１と対向する位置に長手方向に沿って開口部３０が形成されている。各側面部３２には、長手方向に並んで配置された複数の貫通孔３２３が設けられている。各側面部３２の外面３２１には、ダクトカバー４を係止する第１被係止部３２４が設けられている。各側面部３２の内面３２２には、固定補助具を係止する第２被係止部３２５が設けられている。第１被係止部３２４及び第２被係止部３２５は、各側面部３２における貫通孔３２３よりも開口部３０側に配置されている。ダクトカバー４には、ダクト本体３の各第１被係止部３２４に係止する一対の第１係止部４２１が設けられている。
【００１８】
固定補助具１は、ダクト本体３の側面部３２の外側に配置される外側片部１１と、外側片部１１から側面部３２の貫通孔３２３を介して側面部３２の内側に配置される内側片部１２とを備えている。内側片部１２には、ダクト本体３の第２被係止部３２５に係止する第２係止部１２２が設けられている。固定補助具１の内側片部１２の第２係止部１２２をダクト本体３の第２被係止部３２５に係止することにより、固定補助具１の外側片部１１と内側片部１２とによってダクトカバー４の第１係止部４２１とダクト本体３の第１被係止部３２４との係止部分５１を挟持する。以下、この固定補助具１について詳細に説明する。
【００１９】
図１〜図３に示すように、固定補助具１が用いられる配線ダクト２は、配電盤、分電盤、工作機械等に取り付けられる。配線ダクト２は、ダクト本体３と、ダクトカバー４とを備えている。配線ダクト２は、内部が中空であり、全体として筒状に形成されている。配線ダクト２は、長手方向の両端が開口している。配線ダクト２の内部には、複数の配線が収容される。配線とは、例えば、電線等である。
【００２０】
ダクト本体３は、板状の底面部３１と、底面部３１の幅方向両端から立設された板状の一対の側面部３２とを有している。ダクト本体３は、断面がコの字状に形成されている。ダクト本体３を構成する底面部３１と一対の側面部３２とは、一体的に形成されている。ダクト本体３は、高さ方向の一方側（上方側）を開口した開口部３０を有している。開口部３０は、ダクト本体３の長手方向に沿って形成されている。開口部３０は、後述するダクトカバー４によって閉塞される。
【００２１】
各側面部３２には、それぞれ複数の貫通孔３２３が設けられている。複数の貫通孔３２３は、ダクト本体３の長手方向に沿って一列に並んで配置されている。貫通孔３２３は、側面部３２の内側と外側とを貫通するように形成されている。貫通孔３２３は、縦長の長方形状に形成されている。貫通孔３２３は、配線ダクト２（ダクト本体３）に収容した配線を配線ダクト２の外部に案内するためのものである。配線ダクト２の外部に案内された配線は、所定の電気機器等に接続される。
【００２２】
各側面部３２の上端部の外面３２１には、後述するダクトカバー４を係止（嵌合）する第１被係止部３２４が設けられている。第１被係止部３２４は、側面部３２における貫通孔３２３よりも開口部３０側に配置されている。第１被係止部３２４は、側面部３２の外面３２１を窪ませて凹状に形成されている。第１被係止部３２４は、ダクト本体３の長手方向に沿って形成されている。
【００２３】
各側面部３２の上端部の内面３２２には、後述する固定補助具を係止（嵌合）する第２被係止部３２５が設けられている。第２被係止部３２５は、側面部３２における貫通孔３２３及び第１被係止部３２４よりも開口部３０側に配置されている。第２被係止部３２５は、側面部３２の内面３２２を窪ませて凹状に形成されている。第２被係止部３２５は、ダクト本体３の長手方向に沿って形成されている。
【００２４】
各側面部３２の上端部は、貫通孔３２３の少し上側から内側斜め上方に折れ曲がり、その後外側に折れ曲がり、さらに内側に折れ曲がって形成されている。側面部３２の上端部は、断面がＳ字状に形成されている。側面部３２における第２被係止部３２５が設けられている部分は、側面部３２における貫通孔３２３が設けられている部分よりも内側に引っ込んでいる。
【００２５】
ダクトカバー４は、ダクト本体３の開口部３０を閉塞する板状の閉塞部４１と、閉塞部４１の幅方向両端から立設された一対の係合部４２とを有している。ダクトカバー４を構成する閉塞部と一対の係合部４２とは、一体的に形成されている。係合部４２は、ダクトカバー４の長手方向に沿って形成されている。
【００２６】
係合部４２には、ダクト本体３の凹状の第１被係止部３２４に係止（嵌合）する第１係止部４２１が設けられている。第１係止部４２１は、係合部４２の先端から内側に突出して形成されている。第１係止部４２１は、断面が略三角形状に形成されている。第１係止部４２１は、ダクト本体３の第１被係止部３２４に対して側面部３２の外側から内側に向かって係止（嵌合）している。なお、ダクトカバー４は、第１係止部４２１をダクト本体３の第１被係止部３２４に係止した状態において、ダクト本体３の長手方向にスライドさせることが可能である。
【００２７】
配線ダクト２（ダクト本体３、ダクトカバー４）を構成する材料としては、例えば、押出成形や射出成形が可能な熱可塑性樹脂等を用いることができる。このような熱可塑性樹脂としては、例えば、オレフィン系樹脂（ポリプロピレン等のプロピレン系樹脂、ポリエチレン等のエチレン系樹脂）、ポリアミド樹脂、エラストマー等が挙げられる。その他、ポリ塩化ビニル樹脂、変性ポリフェニレンエーテル樹脂、ポリカーボネートアロイ等を用いることもできる。
【００２８】
図４（Ａ）〜（Ｃ）に示すように、固定補助具１は、外側片部１１と、その外側片部１１に連結された２つの内側片部１２とを備えている。固定補助具１を構成する外側片部１１と２つの内側片部１２とは、一体的に形成されている。
【００２９】
外側片部１１は、略長方形板状に形成されている。内側片部１２は、外側片部１１の一端（下端）から折り曲げて形成された屈曲部１２１と、ダクト本体３の凹状の第２被係止部３２５に係止（嵌合）する第２係止部１２２とを有する。第２係止部１２２は、断面が略半円形状に形成されている。第２係止部１２２の先端は、外側片部１１側に向いている。
【００３０】
外側片部１１の幅（横幅、長手方向の幅）Ｗ１（図４（Ａ））は、ダクト本体３の側面部３２の貫通孔３２３の幅（横幅）Ｗ３（図２）よりも大きく設定されている。内側片部１２の幅（横幅）Ｗ２（図４（Ｂ））は、ダクト本体３の側面部３２の貫通孔３２３の幅（横幅）Ｗ３（図２）よりも小さく設定されている。
【００３１】
図１〜図３に示すように、固定補助具１が配線ダクト２に取り付けられた状態において、外側片部１１は、ダクト本体３の側面部３２の外側に配置されている。外側片部１１は、ダクト本体３の側面部３２とダクトカバー４の係合部４２とを跨いで覆うように、ダクト本体３の側面部３２及びダクトカバー４の係合部４２に沿って配置されている。
【００３２】
内側片部１２は、外側片部１１からダクト本体３の側面部３２の貫通孔３２３を介して側面部３２の内側に配置されている。内側片部１２は、屈曲部１２１がダクト本体３の側面部３２の貫通孔３２３を貫通するように配置され、それ以外の部分がダクト本体３の側面部３２の内面３２２に沿うように配置されている。内側片部１２の第２係止部１２２は、ダクト本体３の第２被係止部３２５に対して側面部３２の内側から外側に向かって係止（嵌合）している。
【００３３】
固定補助具１は、内側片部１２の第２係止部１２２をダクト本体３の側面部３２の第２被係止部３２５に係止することにより、ダクト本体３に対して固定される。固定補助具１は、外側片部１１と内側片部１２とがダクトカバー４の第１係止部４２１とダクト本体３の第１被係止部３２４との係止部分（固定部分）５１を挟持している。
【００３４】
固定補助具１を構成する材料としては、例えば、ポリアミド樹脂（ナイロン６、ナイロン６６等）、オレフィン系樹脂（ポリプロピレン樹脂、ポリエチレン樹脂等）等を用いることができる。
【００３５】
本実施形態の配線ダクト２には、一方の側面部３２側に２つの固定補助具１が取り付けられ、他方の側面部３２側に２つの固定補助具１が取り付けられている。固定補助具１は、側面部３２の隣接する２つの貫通孔３２３にそれぞれ内側片部１２（屈曲部１２１）を貫通させるように配置されている。なお、配線ダクト２に取り付ける固定補助具１の数や固定補助具１同士の間隔等は自由に設定することができる。
【００３６】
次に、配線ダクト２に対する固定補助具１の取り付け方法について説明する。
まず、図５（Ａ）、（Ｂ）に示すように、固定補助具１の外側片部１１をダクト本体３の側面部３２の外面３２１上に配置する。このとき、固定補助具１の２つの内側片部１２をダクト本体３の側面部３２における隣接する２つの貫通孔３２３から内側に通す。そして、固定補助具１の外側片部１１をダクト本体３の側面部３２の外面３２１に沿ってダクトカバー４側（図中の矢印の方向）に移動させる。
【００３７】
図６（Ａ）に示すように、固定補助具１の外側片部１１をダクト本体３の側面部３２の外面３２１に沿ってさらに移動させると、固定補助具１の内側片部１２がダクト本体３の側面部３２の内面３２２によって外側に開く。その後、図６（Ｂ）に示すように、固定補助具１の内側片部１２の第２係止部１２２をダクト本体３の第２被係止部３２５に対して側面部３２の内側から外側に向かって係止（嵌合）する。以上により、配線ダクト２への固定補助具１の取り付けが完了する。
【００３８】
次に、配線ダクト２に固定補助具１を取り付けた後のダクト本体３に対するダクトカバー４の着脱について説明する。
図７（Ａ）に示すように、配線ダクト２に固定補助具１を取り付けた状態（図６（Ｂ）の状態）からダクトカバー４を取り外す場合、ダクトカバー４を持ち上げて固定補助具１の外側片部１１を外側に開きながら、ダクトカバー４の第１係止部４２１とダクト本体３の第１被係止部３２４との係止状態を解除する。このとき、固定補助具１の外側片部１１が外側に開いても、内側片部１２の第２係止部１２２がダクト本体３の第２被係止部３２５に係止しているため、固定補助具１がダクト本体３から外れることはない。
【００３９】
その後、図７（Ｂ）に示すように、ダクトカバー４を完全に取り外した状態においても、固定補助具１の内側片部１２の第２係止部１２２がダクト本体３の第２被係止部３２５に係止しているため、固定補助具１がダクト本体３から外れることはない。すなわち、ダクト本体３に固定補助具１が取り付けられた状態を維持することができる。このとき、ダクト本体３の側面部３２と固定補助具１の外側片部１１との間に隙間５２が形成される。
【００４０】
また、図８（Ａ）に示すように、ダクト本体３に固定補助具１が取り付けられた状態（図７（Ｂ）の状態）からダクトカバー４を取り付ける場合、固定補助具１の外側片部１１を外側に開きながら、ダクトカバー４の係合部４２をダクト本体３の側面部３２と固定補助具１の外側片部１１との間の隙間５２に挿入する。このとき、固定補助具１の外側片部１１が外側に開いても、内側片部１２の第２係止部１２２がダクト本体３の第２被係止部３２５に係止しているため、固定補助具１がダクト本体３から外れることはない。
【００４１】
その後、図８（Ｂ）に示すように、ダクトカバー４の第１係止部４２１をダクト本体３の第１被係止部３２４に係止する。ダクトカバー４の第１係止部４２１とダクト本体３の第１被係止部３２４との係止部分（固定部分）５１は、固定補助具１の外側片部１１と内側片部１２とによって挟持された状態となる。
【００４２】
次に、本実施形態の配線ダクト用の固定補助具１における作用効果について説明する。
本実施形態の配線ダクト用の固定補助具１は、前記構成の外側片部１１及び内側片部１２を備えている。そのため、外側片部１１をダクト本体３の側面部３２の外側に配置した状態で、内側片部１２をダクト本体３の側面部３２の貫通孔３２３から内側に通し、その内側片部１２の第２係止部１２２をダクト本体３の第２被係止部３２５に係止することで、固定補助具１を配線ダクト２に取り付けることができる。これにより、配線ダクト２への固定補助具１の取り付け作業が容易となる。また、固定補助具１を配線ダクト２に対して十分に固定できる。また、固定補助具１自体の構造が簡易であり、さらに固定補助具１のみで配線ダクト２への取り付けが可能である。
【００４３】
また、固定補助具１は、配線ダクト２に取り付けた状態で、外側片部１１と内側片部１２とによってダクトカバー４の第１係止部４２１とダクト本体３の第１被係止部３２４との係止部分５１を挟持する。そのため、固定補助具１によって、ダクト本体３に対するダクトカバー４の固定状態を十分に強化（補助）できる。これにより、配線ダクト２の設置向きや外部からの振動等に起因するダクト本体３からのダクトカバー４の外れを確実に防止できる。
【００４４】
また、固定補助具１において、外側片部１１の幅Ｗ１は、ダクト本体３の側面部３２の貫通孔３２３の幅Ｗ３よりも大きい。そのため、外側片部１１をダクト本体３の側面部３２の外側に配置し、内側片部１２をダクト本体３の側面部３２の貫通孔３２３から内側に通した状態で、外側片部１１をダクト本体３の側面部３２に沿ってダクト本体３の開口部３０側に移動させ、内側片部１２の第２係止部１２２をダクト本体３の第２被係止部３２５に係止することができる。これにより、配線ダクト２への固定補助具１の取り付け作業がさらに容易となる。
【００４５】
また、固定補助具１において、内側片部１２の第２係止部１２２は、ダクト本体３の第２被係止部３２５に対して側面部３２の内側から外側に向かって係止する。そのため、配線ダクト２に固定補助具１を取り付けた状態で、ダクト本体３に対するダクトカバー４の着脱が容易となる。これにより、例えば、配線ダクト２設置後に、ダクト本体３からダクトカバー４を取り外し、ダクト本体３内に収容した配線の調整等を容易に行うことができる。
【００４６】
また、固定補助具１は、外側片部１１と、複数の内側片部１２とを備えている。そのため、固定補助具１における複数の内側片部１２の各第２係止部１２２をダクト本体３の第２被係止部３２５に係止することにより、固定補助具１を配線ダクト２に対して十分かつ確実に固定できる。
【００４７】
また、ダクトカバー４の第１係止部４２１は、ダクト本体３の第１被係止部３２４に対して側面部３２の外側から内側に向かって係止する。そのため、固定補助具１の外側片部１１と内側片部１２とによってダクトカバー４とダクト本体３との係止部分５１を挟持することにより、ダクト本体３に対するダクトカバー４の固定状態をより一層強化（補助）できる。
【００４８】
このように、本実施形態によれば、配線ダクト２への取り付けが容易であり、かつ、ダクト本体３からのダクトカバー４の外れを防止できる配線ダクト用の固定補助具１を提供することができる。
【００４９】
（その他の実施形態）
本発明は、前述の実施形態に何ら限定されるものではなく、本発明を逸脱しない範囲において種々の態様で実施しうることはいうまでもない。
【００５０】
（１）前述の実施形態では、固定補助具１は、１つの外側片部１１に対して２つの内側片部１２を有するが、例えば、１つの外側片部１１に対して３つ以上の内側片部１２を有する構成としてもよいし、図９（Ａ）〜（Ｃ）に示すように、固定補助具１が１つの外側片部１１に対して１つの内側片部１２を有する構成としてもよい。
【００５１】
（２）前述の実施形態では、ダクト本体３に設けた凹状の第１被係止部３２４にダクトカバー４の第１係止部４２１を係止する構成としているが、ダクト本体３の第１被係止部３２４及びダクトカバー４の第１係止部４２１の形状（形態）はこれに限定されるものではなく、互いに係止することができる構成であれば種々様々な形状を採用することができる。ダクト本体３の第２被係止部３２５及び固定補助具１の第２係止部１２２も同様である。
【符号の説明】
【００５２】
１…固定補助具
１１…外側片部
１２…内側片部
１２２…第２係止部
２…配線ダクト
３…ダクト本体
３０…開口部
３１…底面部
３２…側面部
３２１…外面
３２２…内面
３２３…貫通孔
３２４…第１被係止部
３２５…第２被係止部
４…ダクトカバー
４２１…第１係止部
５１…係止部分
【図１】
2016158416.tif 000003
【図２】
2016158416.tif 000004
【図３】
2016158416.tif 000005
【図４】
2016158416.tif 000006
【図５】
2016158416.tif 000007
【図６】
2016158416.tif 000008
【図７】
2016158416.tif 000009
【図８】
2016158416.tif 000010
【図９】
2016158416.tif 000011